(57)【特許請求の範囲】
【請求項１】
開口部、及び前記開口部の周囲を囲むように突出し、前記開口部の近傍に設けられた環状突起を有する筐体と、
前記環状突起と嵌合し、且つ前記環状突起と対向する外面を有する筒部、前記筒部が前記環状突起と嵌合した状態で前記開口部から露出する天板、及び前記筒部の外面から延出する延出部を有し、前記環状突起と前記筒部とが嵌合した状態で前記天板の開口部から露出する面に押圧力を受けて前記筒部が前記環状突起の方向に広がるフレーム部材と、
前記筒部の外面及び前記環状突起の内面の全周に接するＯリングと
を備えたことを特徴とする電子機器。
【請求項２】
前記筐体は、前記環状突起が配置された側の、前記環状突起の外側に爪を有し、
前記フレーム部材は、前記延出部から前記筐体方向に延び前記筐体の前記爪と係合する爪受を有する
ことを特徴とする請求項１に記載の電子機器。
【請求項３】
前記爪は、前記開口部からの距離が前記環状突起よりも遠い位置で、且つ前記フレーム部材の前記延出部と対向する位置に配置され、前記延出部に向かう方向に突出する突起に設けられている
ことを特徴とする請求項２に記載の電子機器。
【請求項４】
前記延出部は、少なくとも２つあり、該２つの延出部の延出方向が反対方向を向いていることを特徴とする請求項２又は請求項３のいずれか一つに記載の電子機器。
【請求項５】
前記２つの延出部の延出方向が同一直線上にあることを特徴とする請求項４に記載の電子機器。
【請求項６】
前記フレーム部材の前記延出部を前記筐体と反対側からスライド可能に支える支持部材をさらに備えたことを特徴とする請求項１〜５のいずれか一つに記載の電子機器。
【請求項７】
前記筒部は、前記延出部に向かうにしたがい、前記延出部の延出方向に向かって広がっていることを特徴とする請求項１〜６のいずれか一つに記載の電子機器。
【請求項８】
前記筒部の内面が、前記延出部に向かうにしたがい、前記延出部の延出方向に向かって広がるように傾斜しており、前記筒部は前記延出部に向かって厚みが薄くなっていることを特徴とする請求項１〜６のいずれか一つに記載の電子機器。
【請求項９】
前記天板は前記筒部に比べて剛性が高いことを特徴とする請求項１〜８のいずれか一つに記載の電子機器。
【発明の詳細な説明】
【技術分野】
【０００１】
本発明は、電子機器に関する。
【背景技術】
【０００２】
近年、タブレット端末やＰＤＡ（Personal  Digital  Assistant）などの持ち運びが容易な電子機器が普及してきている。このような持ち運びができる電子機器の場合、屋外での使用における雨などによる浸水が考えられるため、防水性能が備わっていることが好ましい。また、このような電子機器の中には、風呂場などでの使用を想定した機器もあり、その場合にはよりいっそう高い防水性能が備わっていることが好ましい。
【０００３】
特に、筐体とは分離しており外側に露出している部材で、且つ外圧がかかる部材においては、外圧による撓みから隙間が生じ、その隙間から浸水するおそれがある。このような部材としては、例えば指紋センサなどがある。また、面積の広いタブレット端末などでは、押圧力を受けたときの撓みが大きいため、よりいっそう隙間が生じる危険が高い。
【０００４】
電子機器における指紋センサ部分の防水性の確保の技術として、指紋センサが搭載された基盤にパッキング材を貼り付け、外装ケースにパッキング材を固定する従来技術がある。また他の技術としては、指紋センサと外装ケースとの間を粘着材で貼り付ける従来技術がある。
【０００５】
また、電子機器の防水構造の従来技術として、図１９に示す構造を有する電子機器が提案されている。図１９は、電子機器における防水構造の従来技術の一例を説明するための図である。この従来技術は、内部の基板９０３に指紋センサ９０２を固定させ、指紋センサ９０２を囲む突起９１１を有した外装ケース９０１を被せて、突起９１１と指紋センサ９０２との間にＯリング９０４を挟む構造を有している。この従来技術では、指紋センサ９０２と筐体内部の突起９１１との間に備えたＯリングによって浸水や塵埃の侵入を防いでいる。
【先行技術文献】
【特許文献】
【０００６】
【特許文献１】特開２００７−１４３９０９号公報
【特許文献２】特開２００３−２０４９５４号公報
【特許文献３】特開２０１０−７４４３９号公報
【発明の概要】
【発明が解決しようとする課題】
【０００７】
しかしながら、粘着性の材料を用いて止水部材を貼り付けた場合、粘着性の低下や押圧力による粘着材の剥離などのおそれがある。そのため、粘着性の材料を用いて止水部材を貼り付ける従来技術では、防水性能、防塵性能の安定性を確保することは困難である。
【０００８】
また、図１９のような機構の場合、指紋センサ９０２に加えられた押圧力により、支持脚９２１を支点として指紋センサ９０２が撓み、上端部９２２が外装ケース９０１の突起９１１から離れる方向に移動する。そして、Ｏリング９０４を挟んでいる指紋センサ９０２の立壁９２３が内側に倒れこむ。これにより、立壁９２３と突起９１１との間隔が広がり、Ｏリング９０４を圧縮する力が弱まり、Ｏリング９０４の周りに隙間ができてしまうおそれがある。特に、タブレット端末などのように外装ケース９０１の面積が大きい電子機器では、外装ケース９０１の撓みが大きいため、指紋センサが押し込まれると、指紋センサ９０２の立壁９２３が大きく倒れ込むので、Ｏリングにかかる圧力が低減する可能性が大きい。このように、図１９に示すような従来技術でも、防水性能、防塵性能の安定性を確保することは困難である。
【０００９】
開示の技術は、上記に鑑みてなされたものであって、防水性能、防塵性能の安定性を確保した封止を実現する電子機器を提供することを目的とする。
【課題を解決するための手段】
【００１０】
本願の開示する電子機器は、一つの態様において、筐体は、開口部、及び前記開口部の周囲を囲むように突出する、前記開口部の近傍に設けられた環状突起を有する。フレーム部材は、前記環状突起と嵌合し、且つ前記環状突起と対向する外面を有する筒部、前記筒部が前記環状突起と嵌合した状態で前記開口部から露出する天板、及び前記筒部の外面から延出する延出部を有し、前記環状突起と前記筒部とが嵌合した状態で前記天板の前記開口部から露出する面に押圧力を受けて前記筒部が前記環状突起に向けて広がる。Ｏリングは、前記筒部及び前記環状突起の全周に接している。
【発明の効果】
【００１１】
本願の開示する電子機器の一つの態様によれば、防水性能、防塵性能の安定性を確保した封止を実現することができるという効果を奏する。
【図面の簡単な説明】
【００１２】
【図１】図１は、実施例１に係る電子機器の分解斜視図である。
【図２】図２は、実施例１に係る電子機器の内側からリアケースを見た場合の分解斜視図である。
【図３】図３は、指紋センサフレームの指紋センサ側の斜視図である。
【図４】図４は、指紋センサフレームの基板側の斜視図である。
【図５】図５は、図２における指紋センサフレーム及びリアケースの突起の部分を拡大した斜視図である。
【図６】図６は、指紋センサフレーム及びリアケースの突起の嵌合状態を表す斜視図である。
【図７】図７は、図６におけるＢ−Ｂ断面の断面図である。
【図８】図８は、実施例１に係る指紋センサフレームに押圧力が加えられた状態を表す図である。
【図９】図９は、実施例１に係る指紋センサフレームに押圧力が加えられた場合の力の伝達を説明するための図である。
【図１０】図１０は、指紋センサフレーム及びリアケースの双方に押圧力が加わった状態を表す図である。
【図１１】図１１は、指紋センサフレーム及びリアケースの双方に押圧力が加えられた場合の力の伝達を説明するための図である。
【図１２】図１２は、実施例２に係る電子機器の断面図である。
【図１３】図１３は、実施例２に係る指紋センサフレームに押圧力が加えられた状態を表す図である。
【図１４】図１４は、実施例２に係る指紋センサフレームに押圧力がかけられた場合の力の伝達を説明するための図である。
【図１５】図１５は、実施例３に係る電子機器の断面図である。
【図１６】図１６は、実施例３に係る指紋センサフレームに押圧力が加えられた状態を表す図である。
【図１７】図１７は、実施例３に係る指紋センサフレームに押圧力が加えられた場合の力の伝達を説明するための図である。
【図１８】図１８は、実施例４に係る電子機器の断面図である。
【図１９】図１９は、従来の電子機器の防水構造の一例の断面図である。
【発明を実施するための形態】
【００１３】
以下に、本願の開示する電子機器の実施例を図面に基づいて詳細に説明する。なお、以下の実施例により本願の開示する電子機器が限定されるものではない。特に、以下の説明では、タブレット端末を例に説明するが、電子機器としてはこれに限らず、防水性、防塵性が要求される装置であれば他の装置でも良い。
【実施例１】
【００１４】
図１は、実施例１に係る電子機器の分解斜視図である。また、図２は、実施例１に係る電子装置の内側からリアケースを見た場合の分解斜視図である。
【００１５】
本実施例に係る電子機器は、図１に示すように、リアケース１、指紋センサフレーム２、基板３及びフロントケース４を有している。
【００１６】
リアケース１は、開口部１１を有している。また、リアケース１は、図２に示すように、内側に開口部１１の周囲を囲む環状突起１２を有している。このリアケース１が、「筐体」の一例にあたる。
【００１７】
指紋センサフレーム２は、指紋センサを搭載する固定台である。指紋センサフレーム２は、リアケース１の内側からリアケース１に接するように配置される。そして、指紋センサフレーム２は、開口部１１から外に向けて、指紋を読み取る指紋センサが配置される。具体的には、指紋センサフレーム２は、リアケース１の環状突起１２に嵌合するように嵌め込まれる。指紋センサフレーム２及びリアケース１の環状突起１２の構造、並びにそれらの嵌合については後で詳細に説明する。この指紋センサフレーム２が、「フレーム部材」の一例にあたる。
【００１８】
さらに、指紋センサフレーム２のリアケース１とは逆側に基板３が配置される。基板３は、指紋センサフレーム２から入力された指紋などの情報を処理する回路などが配置されている。
【００１９】
リアケース１とフロントケース４とが指紋センサフレーム２及び基板３を挟むように嵌合してタブレット端末の筐体を形成する。
【００２０】
次に、図３及び図４を参照して、指紋センサフレーム２の構造を詳述する。図３は、指紋センサフレームの指紋センサ側の斜視図である。また、図４は、指紋センサフレームの基板側の斜視図である。
【００２１】
図３に示すように、指紋センサフレーム２は、環状突起１２と嵌合したときに環状突起１２の内壁１６と対向する面を有する立壁２１を備える。この立壁２１が、「筒部」の一例にあたる。本実施例では、立壁２１は、リアケース１と指紋センサフレーム２とが嵌合した状態で、リアケース１から離れるにつれて開口部１１から離れる方向に傾斜している。さらに、本実施例では、立壁２１は、リアケース１と指紋センサフレーム２とが嵌合した状態で、リアケース１から離れるにつれて開口部１１から離れる方向に細くなっている。このように、立壁２１が傾斜を有しさらに細くなっている理由は、リアケース１側から押圧力が加わった場合に開口部から離れる側に移動し易くするためである。すなわち、立壁２１は、リアケース１側から押圧力が加わった場合に開口部から離れる側に移動し易い形状を有していればよい。例えば、立壁２１は、傾斜又は細くなる形状のいずれか一方の構造を有しているものでもよい。
【００２２】
また、指紋センサフレーム２は、図３に示すように、立壁２１が形成する筒の開口部側に天板２２を有している。天板２２のリアケース１に向かう面には指紋センサ６が配置されている。天板２２に配置された指紋センサ６は、指紋センサフレーム２が環状突起１２と嵌合した状態で、開口部１１から外に出る。指紋センサ６の指を置く面は、リアケース１の外側の面とほぼ同一の高さに位置する。
【００２３】
そして、天板２２の剛性は、立壁２１の剛性よりも高く生成されている。例えば、天板２２の部材として、立壁２１の部材よりも剛性が高い部材を用いてもよい。また、天板２２を立壁２１よりも厚くすることで剛性を高めてもよい。
【００２４】
さらに、指紋センサフレーム２は、図３及び図４に示すように、立壁２１から外に向かって壁と垂直方向に延びる延出部２３〜２５を有している。延出部２３と爪受２６との延びる方向は同じ直線Ａ上にあり、且つ反対方向を向いている。また、爪受２８は、爪受２６及び爪受２７が延びる方向と直行する方向に延びている。
【００２５】
延出部２３は、環状突起１２と指紋センサフレーム２が嵌合した状態でリアケース１に向けて突出する爪受２６を有している。本実施例では、爪受２６は、図３のように、延出部２３からリアケース１側に突出しその突出した部分に爪受け用の孔を有している。爪受２６は、長手方向の長さは、係合相手の爪１３の長手方向の長さとほぼ一致する。
【００２６】
延出部２４は、環状突起１２と指紋センサフレーム２が嵌合した状態でリアケース１に向けて突出する爪受２７を有している。爪受２７は、爪受２６と同様の構造を有する。爪受２７も長手方向の長さは、係合相手の爪１４の長手方向の長さとほぼ一致する。
【００２７】
延出部２５は、環状突起１２と指紋センサフレーム２が嵌合した状態でリアケース１に向けて突出する爪受２８を有している。爪受２８は、爪受２６と同様の構造を有する。爪受２８の長手方向の長さは、係合相手の爪１５の長手方向の長さと一致しなくてもよい。
【００２８】
図５は、図２における指紋センサフレーム及びリアケースの突起の部分を拡大した斜視図である。図６は、指紋センサフレーム及びリアケースの突起の嵌合状態を表す斜視図である。図５の状態から、図５に示す点線矢印の方向に指紋センサフレーム２を移動させ、指紋センサフレーム２とリアケース１とを嵌合させると図６の状態になる。
【００２９】
図５における指紋センサフレーム２は、図４で表される指紋センサフレーム２と同様である。
【００３０】
図５に示すように、リアケース１に設けられた環状突起１２は、外壁１７に対して垂直方向に突き出した爪１３〜１５を有している。本実施例では、爪１３の延びる方向と爪１４が延びる方向とは同じ直線Ａ上にあり、且つ反対を向いている。また、爪１５は、爪１３及び爪１４が延びる方向である直線Ａと直交する方向に延びている。
【００３１】
そして、図６のように、リアケース１の環状突起１２と指紋センサフレーム２が嵌合する。このとき、爪受２６は、爪１３と係合する。上述したように、爪１３と爪受２６との長手方向の長さが一致しているので、爪１３と爪受２６とが係合した場合、爪１３の長手方向は爪受２６の長手方向と隙間なく嵌る。また、爪受２７は、爪１４と係合する。上述したように、爪１４と爪受２７との長手方向の長さが一致しているので、爪受２７と爪１４とが係合した場合、爪１４の長手方向は爪受２７の長手方向と隙間なく嵌る。また、爪受２８と爪１５とが係合する。爪受２８は、上述したように長手方向の長さが爪１５と一致しなくてもよい。すなわち、爪受２８と爪１５とが係合した場合、爪１５の長手方向は爪受２８の長手方向との間に隙間があってもよい。
【００３２】
Ｏリング５は、立壁２１の周囲を一周するように配置されている。図３及び図５のように、リアケース１の環状突起１２と指紋センサフレーム２が嵌合した場合、Ｏリング５は、指紋センサフレーム２の立壁２１とリアケース１の環状突起１２の内壁１６とにより挟まれる。このように、Ｏリング５が立壁２１と内壁１６との双方から押圧されながら挟まれることにより、Ｏリング５は、立壁２１の周囲にできるリアケース１と指紋センサフレーム２との隙間を埋め水の浸入を防ぐ止水機構であり、また、塵埃などの侵入を防ぐ封止である。
【００３３】
図７は、図６におけるＢ−Ｂ断面の断面図である。
【００３４】
図７に示すように、リアケース１と指紋センサフレーム２とが嵌合した状態では、爪１３と爪受２６とが係合し、爪１４と爪受２７が係合している。そして、Ｏリング５は、立壁２１と環状突起１２とに挟まれており、Ｏリング５によって開口部１１からの浸水が止水され、それ以上内側に水が入らず、また、塵埃などの侵入も防がれる。
【００３５】
また、上述したように、立壁２１は、リアケース１から離れるにつれて開口部１１から離れる方向に傾斜している。さらに、本実施例では、立壁２１は、リアケース１と指紋センサフレーム２とが嵌合した状態で、リアケース１から離れるにつれて開口部１１から離れる方向に細くなっている。また、天板２２は、立壁２１と比較して剛性が高くなるように作られている。さらに、爪１３は、爪受２６が図７の状態から開口部側に移動しないように、傾斜１８を有している。また、爪１４は、爪受２７が図７の状態から開口部側に移動しないように、傾斜１９を有している。ここで、爪１３及び爪１４は、爪受２６及び爪受２７が図７の状態から開口部側に移動しない機構を持っていればよく、例えば、突起などを有していてもよい。
【００３６】
図８は、実施例１に係る指紋センサフレームに押圧力が加えられた状態を表す図である。具体的には、図８は、図７の状態で指紋センサフレーム２に押圧力Ｑ１１が加えられた状態である。図８の押圧力Ｑ１１を表す矢印の先にある円弧は、押圧力がかかる部分を示している。この場合、指紋センサフレーム２にのみ押圧力Ｑ１１が加えられており、リアケース１には押圧力が加えられていない。
【００３７】
そして、図８に示すように、押圧力Ｑ１１が指紋センサフレーム２に加えられると、天板２２の剛性が立壁２１の剛性よりも高いため、天板２２が撓む前に、立壁２１が外側に開く。そうすると、立壁２１は、環状突起１２に近づく方向に移動する。これにより、Ｏリング５は、立壁２１からより強い力で環状突起１２に押し付けられることになり、Ｏリング５による止水力や防塵性などといった封止の性能が増す。
【００３８】
図９を参照して、指紋センサフレーム２に押圧力Ｑ１１が加えられたときの力の伝達について詳しく説明する。押圧力Ｑ１１が指紋センサフレーム２に加えられると、リアケース１から離れる方向に立壁２１に力が働く。このとき、爪１３と爪受２６とが係合し、爪１４と爪受２７とが係合しており、さらに、傾斜１８及び傾斜１９により爪受２６及び爪受２７ともに開口部側へ移動できないので、押圧力Ｑ１１が指紋センサフレーム２に加えられても、爪受２６及び爪受２７は移動しない。そこで、立壁２１は、点Ｐ１を支点として回転する方向に力が加わる。ここで、天板２２の剛性が立壁２１の剛性よりも高いため、天板２２が撓む前に、立壁２１は、点Ｐ１を支点として矢印Ｑ１２のように外側に開く。この立壁２１の矢印Ｑ１２の方向への移動により、Ｏリング５には、押圧力Ｑ１３が加わる。これにより、Ｏリング５は、環状突起１２に押し付けられる。このように、Ｏリング５が環状突起１２に押し付けられ圧縮されることで、より封止が強固となり、防水性、防塵性を保つことができる。したがって、従来のように、リアケース１側から押圧力が加わっても、Ｏリング５の周りに隙間ができることなく、安定した防水性能、防塵性能を確保することができる。
【００３９】
以上では、図７〜９を参照して、押圧力が加えられた場合の図６のＢ−Ｂ断面の方向における立壁２１の動きを説明したが、Ｂ−Ｂ断面と直交する方向における立壁２１の動きも同様である。
【００４０】
すなわち、押圧力がリアケース１側から指紋センサフレーム２に対して加えられた場合、爪１５と爪受２８とは、爪１３及び爪受２６や爪１４及び爪受２７と同じ働きをし、爪１５と爪受２８との係合している点を支点として、立壁２１は、開口部１１から離れる方向に移動してＯリング５を環状突起１２に押し付ける。
【００４１】
一方、爪１５及び爪受２８と反対側には爪及び爪受が設けられていないが、爪１３及び爪受２６並びに爪１４及び爪受２７は長手方向の長さが一致しており、長手方向に隙間なく係合している。そのため、爪１３及び爪受２６並びに爪１４及び爪受２７によって、爪１５及び爪受２８と反対側への指紋センサフレーム２全体の移動が抑制される。そして、爪１３及び爪受２６並びに爪１４及び爪受２７の係合した接点を支点として、立壁２１が開口部１１から離れる方向に回転運動し、Ｏリング５を環状突起１２に押し付ける。
【００４２】
ここで、本実施例では、指紋センサフレーム２の配置上の理由から爪及び爪受を３箇所に配置したが、爪及び爪受は３箇所以上に配置してもよい。例えば、爪１５及び爪受２８との反対側に爪及び爪受を配置した場合、爪１３及び爪受２６並びに爪１４及び爪受２７は、爪１５及び爪受２８との反対側に爪及び爪受の役割を担わなくてもよくなるので、長手方向の長さは一致しなくてもよい。
【００４３】
次に、図１０を参照して、指紋センサフレーム２だけでなく、周囲のリアケース１にも押圧力が加わった場合について説明する。図１０は、指紋センサフレーム及びリアケースの双方に押圧力が加わった状態を説明するための図である。
【００４４】
図１０に示すように、この場合、押圧力Ｑ２１が指紋センサフレーム２及びリアケース１の開口部１１の周囲に加えられている。押圧力Ｑ２１を表す矢印の先にある円弧は、押圧力がかかる場所を表している。
【００４５】
この場合、指紋センサフレーム２にのみ押圧力が加わったときと同じように、指紋センサフレーム２の立壁２１は、開口部１１から離れる方向に移動する。
【００４６】
さらにこの場合、リアケース１にも押圧力Ｑ２１が加わっているため、リアケース１は、指紋センサフレーム２の天板２２が沈み込むのと共に、開口部１１の周囲が指紋センサフレーム２側に沈み込む。このとき、環状突起１２は開口部１１から離れる方向に移動する。また、爪１３も開口部１１から離れる方向に移動する。
【００４７】
図１１を参照して、この場合の力の伝達をさらに説明する。図１１は、指紋センサフレーム及びリアケースの双方に押圧力が加えられた場合の力の伝達を説明するための図である。
【００４８】
押圧力Ｑ２１が加えられると、リアケース１を指紋センサフレーム２側に押し込む力Ｑ２２が働く。指紋センサフレーム２の立壁２１は、点Ｐ２を支点として矢印Ｑ２３の方向に移動する。このとき、力Ｑ２２によって、リアケース１は撓み、環状突起１２は、矢印Ｑ２４の方向に移動する。また、爪１３は、矢印Ｑ２５の方向に移動する。
【００４９】
このように、立壁２１の回転にあわせて、環状突起１２及び爪１３が移動することで、立壁２１と環状突起１２との相対的位置が押圧力Ｑ２１を受ける前後で維持される。そして、立壁２１と環状突起１２との相対的位置が維持されることで、指紋センサ６とリアケース１との相対的な位置のずれが無くなり、指紋の読み取りの精度の低下を軽減することができる。
【００５０】
以上に説明したように、本実施例に係る電子機器では、Ｏリングによる防水や防塵などの封止機構を有する部材に対して、筐体の外側から内側に向けて力が加えられたときに、押圧力を受けた部材の壁が広がることで、Ｏリングを挟む力が大きくなり、Ｏリングが圧縮される。これにより、外部から力を受けた場合にも封止の性能を維持でき、防水性能、防塵性能の安定性を確保することができる。
【００５１】
また、本実施例に係る電子機器は、指紋センサフレームと共にリアケースに押圧力が加わった場合に、指紋センサとリアケースとの相対的位置を維持することができる。これにより、指紋の読み取りの精度の低下を軽減することができる。
【実施例２】
【００５２】
次に、実施例２に係る電子機器について説明する。本実施例に係る電子機器は、リアケースにおける指紋センサフレームと嵌合しＯリングを挟む環状突起と爪部とが一体となっていることが実施例１と異なるものである。
【００５３】
図１２は、実施例２に係る電子機器の断面図である。本実施例では、環状突起１２の先端の爪受２６及び２７にあたる位置に、爪１３及び爪１４が配置されている。また、図１２では爪１３及び爪１４しか表していないが、環状突起１２の先端の爪受２８にあたる位置に、同様に爪１５が配置されている。
【００５４】
そして、リアケース１と指紋センサフレーム２とが嵌合する場合、図１２に示すように、環状突起１２の内側に立壁２１が嵌り込むとともに、環状突起１２の先端に設けられた爪１３〜１５が指紋センサフレーム２に設けられた爪受２６〜２８とそれぞれ係合する。
【００５５】
この場合も、爪１３には傾斜１８が設けられており、爪受２６は図１２の場所より開口部１１側に移動することはできない。同様に、爪１４には傾斜１９が設けられており、爪受２７は図１２の場所より開口部１１側に移動することはできない。
【００５６】
立壁２１と環状突起１２によってＯリング５は挟まれている。
【００５７】
次に、図１３を参照して、本実施例に係る指紋センサフレーム２にリアケース１側から押圧力が加わった場合について説明する。図１３は、実施例２に係る指紋センサフレームに押圧力が加えられた状態を表す図である。
【００５８】
ここでは、指紋センサフレーム２に押圧力Ｑ３１が加えられている。押圧力Ｑ３１を表す矢印の先にある円弧は、押圧力が加えられた位置を示している。この場合も実施例１と同様に、押圧力Ｑ３１で天板２２が押され、その力を受けて、立壁２１は、開口部１１から離れる方向に移動する。
【００５９】
次に、図１４を参照して、指紋センサフレーム２に押圧力Ｑ１１が加えられたときの本実施例にかかる指紋センサフレーム２に対する力の伝達について詳しく説明する。押圧力Ｑ３１が指紋センサフレーム２に加えられると、リアケース１から離れる方向に立壁２１に力が働く。このとき、爪１３と爪受２６とが係合し、爪１４と爪受２７とが係合しており、さらに、傾斜１８及び傾斜１９により爪受２６及び爪受２７ともに開口部１１側へ移動できないので、押圧力Ｑ３１が指紋センサフレーム２に加えられても、爪受２６及び爪受２７は移動しない。そこで、立壁２１は、点Ｐ３を支点として回転する方向に力が加わる。ここで、天板２２の剛性が立壁２１の剛性よりも高いため、天板２２が撓む前に、立壁２１は、点Ｐ３を支点として矢印Ｑ３２のように外側に開く。この立壁２１の矢印Ｑ３２の方向への移動により、Ｏリング５には、押圧力Ｑ３３が加わる。これにより、Ｏリング５は、環状突起１２に押し付けられる。
【００６０】
以上に説明したように、本実施例に係る電子機器では、Ｏリングによる防水や防塵といった封止機構を有する部材に対して、筐体の外側から内側に向けて力が加えられたときに、押圧力を受けた部材の壁が広がることで、Ｏリングを挟む力が大きくなり、Ｏリングが圧縮される。これにより、外部から力を受けた場合にも封止の性能を維持でき、防水性能、防塵性能の安定性を確保することができる。
【００６１】
また、リアケース側のＯリングを挟むための環状突起に爪を配置するため、爪用の突起を設ける必要がなく、実施例１に比べてＯリングによる封止機構を有する部材を小さくすることができる。
【実施例３】
【００６２】
次に、実施例３に係る電子機器について説明する。本実施例に係る電子機器は、リアケースにおける指紋センサフレームの延出部をリアケースと反対側から支持していることが実施例１と異なるものである。
【００６３】
図１５は、実施例３に係る電子機器の断面図である。本実施例においても、指紋センサフレーム２は、実施例１と同様の形状を有している。
【００６４】
リアケース１は、指紋センサフレーム２の立壁２１と嵌合する環状突起１２を有している。
【００６５】
Ｏリング５は、実施例１と同様に、立壁２１と環状突起１２とで挟まれている。
【００６６】
そして、指紋センサフレーム２の延出部２３〜２５に接するように基板３が配置されている。すなわち、基板３は、リアケース１とは反対側から延出部２３〜２５を支持する。そして、基板３の表面は滑らかになっており、延出部２３〜２５は、基板３の表面をスライドして移動することができる。
【００６７】
次に、図１６を参照して、本実施例に係る指紋センサフレーム２にリアケース１側から押圧力が加わった場合について説明する。図１６は、実施例３に係る指紋センサフレームに押圧力がかけられた状態を表す図である。
【００６８】
ここでは、指紋センサフレーム２に押圧力Ｑ４１が加えられている。押圧力Ｑ４１を表す矢印の先にある円弧は、押圧力が加えられた位置を示している。この場合、押圧力Ｑ４１で天板２２が押され、その力を受けて、立壁２１、延出部２３及び延出部２４は、基板３に押し付けられる。天板２２は立壁２１よりも剛性が高いため、天板２２が撓む前に立壁２１は開口部１１から離れるように押し広げられる。これにより、立壁２１は、開口部１１から離れる方向に移動する。
【００６９】
次に、図１７を参照して、指紋センサフレーム２に押圧力Ｑ４１が加えられたときの本実施例にかかる指紋センサフレーム２に対する力の伝達について詳しく説明する。押圧力Ｑ４１が指紋センサフレーム２に加えられると、基板３に押し付けられるように立壁２１及び延出部２３が働く。ここで、天板２２の剛性が立壁２１の剛性よりも高いため、天板２２が撓む前に、立壁２１が潰れる。言い換えれば、立壁２１は、図１７におけるＰ４の位置から図１７に示される位置まで、開口部１１から離れる方向に移動する。このとき、延出部２３は、基板３の表面上を矢印Ｑ４２の方向へスライドする。このとき、Ｏリング５には、押圧力Ｑ４３が加わる。これにより、Ｏリング５は、環状突起１２に押し付けられる。
【００７０】
以上に説明したように、本実施例に係る電子機器では、Ｏリングによる封止機構を有する部材に対して、筐体の外側から内側に向けて力が加えられたときに、押圧力を受けた部材の壁が広がることで、Ｏリングを挟む力が大きくなり、Ｏリングが圧縮される。これにより、外部から力を受けた場合にも封止の性能を維持でき、防水性能、防塵性能の安定性を確保することができる。
【実施例４】
【００７１】
次に、実施例４に係る電子機器について説明する。本実施例に係る電子機器は、実施例１の構造と、実施例３における構造とを組み合わせたものである。
【００７２】
図１８は、実施例４に係る電子機器の断面図である。本実施例に係る指紋センサフレーム２は、実施例１と同様の構造を有する。また、本実施例に係るリアケース１は、実施例１と同様の構造を有する。さらに、本実施例に係る電子機器の基板３は、実施例３と同様に、指紋センサフレーム２の延出部２３〜２５をリアケース１の反対側から支持する。
【００７３】
本実施例に係る電子機器は、指紋センサフレーム２にリアケース１側から押圧力が加えられた場合、基板３上を延出部２３〜２５がスライド移動し、立壁２１は開口部１１から離れる方向に移動する。これにより、Ｏリング５は、環状突起１２に押し付けられる。
【００７４】
また、爪１３〜１５と爪受２６〜２８が係合しているため、基板３上を延出部２３〜２５がスライドする場合に指紋センサフレーム２の横ずれを軽減することができる。また、例え基板３が撓んでも、爪１３〜１５と爪受２６〜２８が係合した接点を支点とする回転力が立壁２１に加えられるため、Ｏリング５は、環状突起１２に押し付けられる。
【００７５】
以上に説明したように、本実施例に係る電子機器は、Ｏリングによる封止機構を有する部材に対して、筐体の外側から内側に向けて力が加えられたときに、押圧力を受けた部材の壁が広がることで、Ｏリングを挟む力が大きくなり、Ｏリングが圧縮される。これにより、外部から力を受けた場合にも封止の性能を維持でき、防水性能、防塵性能の安定性を確保することができる。
【００７６】
また、基板上を延出部がスライドする場合の指紋センサフレームの横ずれを軽減することにより、指紋センサと筐体との延出部がスライドする方向の位置関係を維持することができ、指紋の読み取りの精度の低下を軽減することができる。
【符号の説明】
【００７７】
１  リアケース
２  指紋センサフレーム
３  基板
４  フロントケース
５  Ｏリング
６  指紋センサ
１１  開口部
１２  環状突起
１３〜１５  爪
２１  立壁
２２  天板
２３〜２５  延出部
２６〜２８  爪受
【図１】
0005799814.tif 000002
【図２】
0005799814.tif 000003
【図３】
0005799814.tif 000004
【図４】
0005799814.tif 000005
【図５】
0005799814.tif 000006
【図６】
0005799814.tif 000007
【図７】
0005799814.tif 000008
【図８】
0005799814.tif 000009
【図９】
0005799814.tif 000010
【図１０】
0005799814.tif 000011
【図１１】
0005799814.tif 000012
【図１２】
0005799814.tif 000013
【図１３】
0005799814.tif 000014
【図１４】
0005799814.tif 000015
【図１５】
0005799814.tif 000016
【図１６】
0005799814.tif 000017
【図１７】
0005799814.tif 000018
【図１８】
0005799814.tif 000019
【図１９】
0005799814.tif 000020